(57)【要約】      （修正有）【課題】山形に堆積された排泄物（固形物）を崩すことができる簡易トイレを提供する。【解決手段】設置面より所定の高さで支持されかつ便器を設けた床の下部において便器下方に対応して配設された便容器５内に回転可能に垂設された回転軸体１２、回転軸体の下端に軸端が対応されるとともに便容器の底部面に沿って水平状に配置され、外周軸方向に螺旋状に巻回した螺旋状羽根３３が形成された誘導螺旋軸体３０、回転軸体の回転を誘導螺旋軸体に伝達する回転伝達手段３１、誘導螺旋軸体の軸方向に沿って配置されかつ誘導螺旋軸体の螺旋状羽根を下方から受ける樋状の誘導案内部材３４を備え、回転軸体１２の回転を誘導螺旋軸体３０に伝達するとともに、この誘導螺旋軸体３０の回転によりその軸先端側から回転軸体１２の下端側に向う移送誘導経路を構成する。【選択図】図３
2007098017.tif 000002
【特許請求の範囲】
【請求項１】
設置面より所定の高さで支持されかつ便器を設けた床と、この床の下部において便器下方に対応して配設された便容器と、前記床の上方側周及び上面を遮蔽して所望の区間部を形成する遮蔽部材とを備えた簡易トイレであって、
前記床面から便容器内に回転可能に垂設された回転軸体と、
前記回転軸体の下端に軸端が対応されるとともに前記便容器の底部面に沿って水平状に配置され、外周軸方向に螺旋状に巻回した螺旋状羽根が形成された誘導螺旋軸体と、
前記回転軸体の回転を前記誘導螺旋軸体に伝達する回転伝達手段と、
前記誘導螺旋軸体の軸方向に沿って配置されかつ該誘導螺旋軸体の螺旋状羽根を下方から受ける樋状の誘導案内部材と、
を備え、前記回転軸体の回転を前記誘導螺旋軸体に伝達するとともに、この誘導螺旋軸体の回転によりその軸先端側から該回転軸体の下端側に向う移送誘導経路を構成したことを特徴とする簡易トイレ。
【請求項２】
請求項１記載の簡易トイレであって、前記回転軸体は、固液分離手段の排出螺旋軸体から構成されるとともに、この固液分離手段が、前記床下面に垂下状に装設され、下部に流入孔が貫設されかつ中間の所定部位に前記液状し尿用の排出管がほぼ横方向に連通可能に連結された外筒体と、この外筒体内に回転可能に支承されかつ回転動作にしたがって上昇方向への移送可能な螺旋状羽根が形成された排出螺旋軸体と、この排出螺旋軸体と連結されて該排出螺旋軸体を前記床面上方側から回転操作する操作部材と、前記外筒体の流入孔の外側周囲に所定の間隔をおいて対向されかつ前記排出螺旋軸体とともに該流入孔の外側周囲に沿って回転される目詰り防止用の回転翼とから構成され、前記排出螺旋軸体と前記誘導螺旋軸体とを回転伝達可能に連結されていることを特徴とする簡易トイレ。
【請求項３】
請求項１又は２記載の簡易トイレであって、前記誘導螺旋軸体が、その軸先端側を前記便器の下方に延在するように配置されていることを特徴とする官位トイレ。
【発明の詳細な説明】
【技術分野】
【０００１】
本発明は、災害時等に使用される組立て式の簡易トイレに関する。
【背景技術】
【０００２】
従来、この種の範囲トイレは、災害時等の際に、被災地等に搬送されてその場所において組み立てられて使用されるものであり、脚で支持された床に便器を設けるとともに、床の下部の便器下方に排泄物を収容する便容器を設け、その四側周面及び上面に対応して枠フレームを骨組み構成し、この枠フレーム間にシートを張設して該四側周面及び上面を遮蔽し、その一側周に出入り用の扉を設けるように構成されている。
そして、実際の使用にあって、前記便容器内に収容された排泄物は、固形物として便器下方に集中してほぼ山形に堆積され、使用者に多大の嫌悪感を抱かせるものであった。この状態を解消するものとして、便容器内にほぼ山形に堆積された固形物を崩すための手段が種々案出されている。例えば、便容器内において便器の下通路の下方にあって水平状に回動する掻き寄せ具を設け、トイレの床上に設けたハンドルを水平方向に回動することによって前記掻き寄せ具を水平状に回動させて便器の下通路の下方に山形に堆積された排泄物（固形物）を崩して掻きならすように構成された手段が案出されている。（特許文献１参照）
【特許文献１】特開平１０−２３９９０号
【発明の開示】
【発明が解決しようとする課題】
【０００３】
しかしながら、上記した手段にあっては、ハンドルの回動操作が掻き寄せ具の回動動作に直接伝達される構造であるため、掻き寄せ具による排泄物（固形物）を崩して掻きならす動作がハンドルを操作する使用者の手に直接伝達されてしまい、使用者にとって依然として排泄物（固形物）を崩して掻きならす行為の嫌悪感を抱かせるものであった。
そこで、本発明は、上記した従来の問題点に鑑み、排泄物（固形物）を崩して掻きならす行為の嫌悪感を可及的になくして、ほぼ山形に堆積された排泄物（固形物）を崩すことができる簡易トイレを提供することを課題とする。
【課題を解決するための手段】
【０００４】
上記した課題は、各請求項記載の発明によって解決される。
すなわち、請求項１記載の発明は、設置面より所定の高さで支持されかつ便器を設けた床と、この床の下部において便器下方に対応して配設された便容器と、前記床の上方側周及び上面を遮蔽して所望の区間部を形成する遮蔽部材とを備えた簡易トイレであって、
前記床面から便容器内に回転可能に垂設された回転軸体と、
前記回転軸体の下端に軸端が対応されるとともに前記便容器の底部面に沿って水平状に配置され、外周軸方向に螺旋状に巻回した螺旋状羽根が形成された誘導螺旋軸体と、
前記回転軸体の回転を前記誘導螺旋軸体に伝達する回転伝達手段と、
前記誘導螺旋軸体の軸方向に沿って配置されかつ該誘導螺旋軸体の螺旋状羽根を下方から受ける樋状の誘導案内部材と、
を備え、前記回転軸体の回転を前記誘導螺旋軸体に伝達するとともに、この誘導螺旋軸体の回転によりその軸先端側から該回転軸体の下端側に向う移送誘導経路を構成したこと
を要旨とする。
【０００５】
この発明にあっては、回転軸体を回転操作し、回転伝達手段を介して樋状の誘導案内部材で受けられかつ便容器内においてほぼ山形に堆積された排泄物（固形物）内に位置された誘導螺旋軸体を回転駆動することによって、その軸先端側から該回転軸体の下端側に向う移送誘導経路が形成されるので、この回転する誘導螺旋軸体の螺旋状羽根によりこの山形に堆積された排泄物（固形物）を下方において前記回転軸体側に移送（移動）させ、山形に堆積された排泄物（固形物）を下方から崩すことができる。
【０００６】
請求項２記載の発明は、請求項１記載の簡易トイレであって、前記回転軸体は、固液分離手段の排出螺旋軸体から構成されるとともに、この固液分離手段が、前記床下面に垂下状に装設され、下部に流入孔が貫設されかつ中間の所定部位に前記液状し尿用の排出管がほぼ横方向に連通可能に連結された外筒体と、この外筒体内に回転可能に支承されかつ回転動作にしたがって上昇方向への移送可能な螺旋状羽根が形成された排出螺旋軸体と、この排出螺旋軸体と連結されて該排出螺旋軸体を前記床面上方側から回転操作する操作部材と、前記外筒体の流入孔の外側周囲に所定の間隔をおいて対向されかつ前記排出螺旋軸体とともに該流入孔の外側周囲に沿って回転される目詰り防止用の回転翼とから構成され、前記排出螺旋軸体と前記誘導螺旋軸体とを回転伝達可能に連結されていることを要旨とする。
【０００７】
この発明にあっては、便容器内において、回転する誘導螺旋軸体の螺旋状羽根によりこの山形に堆積された排泄物（固形物）を下方において外筒体側に移送（移動）させ、山形に堆積された排泄物（固形物）を下方から崩すことができるとともに、固形物と分離された液状し尿を、固液分離手段における外筒体内に流入孔から流入させ、操作部材の回転操作により排出螺旋軸体を上昇移送方向に回転することによって、該外筒体内の上方に積極的に導いて排出管から外部に排出するものである。そして、排出螺旋軸体とともに回転される回転翼により流入孔を閉塞しようとする固形物を排除することができる。
【０００８】
請求項３記載の発明は、請求項１又は２記載の簡易トイレであって、前記誘導螺旋軸体が、その軸先端側を前記便器の下方に延在するように配置されていることを要旨とする。
【０００９】
この発明にあっては、誘導螺旋軸体がその軸先端側を前記便器の下方に延在するように配置されているため、とくに、排泄物（固形物）が山形に堆積される部位を下方から効果的に崩すことができる。
【発明の効果】
【００１０】
請求項１記載の発明によれば、回転軸体を回転操作するのみで、山形に堆積された排泄物（固形物）を下方から崩すことができ、その操作に伴う嫌悪感を可及的になくすることができる。                                                                      
【００１１】
請求項２記載の発明によれば、固液分離手段の排出螺旋軸体を回転操作するのみで、山形に堆積された排泄物（固形物）を下方から崩すことができ、その操作に伴う嫌悪感を可及的になくするとともに、この固形物と分離された液状し尿を外部に円滑に排出することができる。
【００１２】
請求項３記載の発明によれば、とくに、排泄物（固形物）が山形に堆積される部位を下方から効果的に崩すことができる。
【発明を実施するための最良の形態】
【００１３】
次に、本発明を実施するための最良の形態について、実施例にしたがって説明する。
【実施例】
【００１４】
図１〜図１１に示すように、本実施例の簡易トイレ１は、例えば、組立て式に構成されており、大別すると、脚片２〜２により設置面より所定の高さでほぼ水平状に支持された床３と、該床３のほぼ中央部に設けられた便器４と、前記床３の下部において該便器４下方に対応して配設された排泄物を収容する袋状の便容器５と、前記床３の上方の前後左右側周及び上面を遮蔽して所望の空間区間部を形成する組立て式の枠フレーム６に張設された遮蔽部材７とから構成されている。なお、前記脚片２〜２は折り畳み構成となし、後側の遮蔽部材７は出入り用として構成されている。また、床３上には便器４の両側に対向位置する手摺り８が設けられている。
【００１５】
前記便容器５内には、該便容器５内に溜められた大便等の固形物と分離された液状し尿を後述する排出管９を介して外部に放出するための固液分離手段１０が前記床３の下面から垂下状態で装設されている。
【００１６】
この固液分離手段１０は、所定の径の外筒体１１と、該外筒体１１内に回転可能に装設された排出螺旋軸体１２と、該排出螺旋軸体１２を前記床３の上面において回転操作するハンドル１３と、前記外筒体１１のほぼ中央部に横向きに連結された前記排出管９とを主体として構成されている。
【００１７】
前記外筒体１１は所定の長さの上下端が開口されたパイプ状に形成されていて、上端部が前記床３に下面に対し対の固定ブラケット１４、１４及び支軸１５、１５を介して垂下状態から該床３の下面に沿うほぼ水平状態への折り畳み（回動）可能に垂設され、その上端部の対向する２箇所には折り畳み時に前記排出螺旋軸体１２（ハンドル１３）の軸部が干渉しないように切欠き孔１６が形成され、下端部には対向する２箇所に液状し尿を外筒体１１内に流入する所定の径の流入孔１７、１７が貫設され、ほぼ中間部の前記排出管９との連結（連通）部位より上位位置にはオーバーフロー用流入孔１８が貫設されている。なお、液状し尿分離手段１０の外筒体１１は垂設状態において、その下端が床３の下方に配設された便容器５の底面より若干上位に位置して対向されている。
【００１８】
前記排出螺旋軸体１２は、軸部１９と該軸部１９の外周軸方向に沿って形成された螺旋状羽根２０とから構成されていて前記外筒体１１内の軸方向に沿って配設され、その軸部１９の下端が外筒体１１の下端から若干突出されている。そして、軸部１９の上端部には前記ハンドル１３に軸部の下端と連結するためにＬ状の段差部１９ａが切欠き形成されている。なお、排出螺旋軸体１２の螺旋状羽根２０は一方向の回転動作にしたがって上昇方向への移送可能な状態にその螺旋方向が設定されている。
【００１９】
前記ハンドル１３は、軸部材をほぼクランク状に曲折形成されており、その下方側の軸部が前記床３を貫通して支持部材２１により回転可能に支承され、該軸部の下端には前記排出螺旋軸体１２の軸部１９の段差部１９ａに対向する段差部１３ａが形成され、上方側の軸部上端には撮み部１３ｂが設けられている。
【００２０】
そして、排出螺旋軸体１２の軸部１９の段差部１９ａとハンドル１３の段差部１３ａとの部位で連結ピン２２を介して両者が回動可能に支承されている。これにより、排出螺旋軸体１２はハンドル１３との連結部位における連結ピン２２を支点として前記外筒体１１とともに床３の下面に沿うほぼ水平状態に折り畳み（回動）されるものである。
【００２１】
また、排出螺旋軸体１２とハンドル１３との連結部位の外周にはハンドル１３に対する排出螺旋軸体１２の折り畳み回動を許容したり阻止したりする所定の長さの連結筒２３が排出螺旋軸体１２の軸部１９上端部からハンドル１３の下方側の軸部下端部にわたって嵌合され、この連結筒２３は排出螺旋軸体１２の軸部１９に突設されたストッパピン２４により下方への移動が阻止されている。
【００２２】
しかして、連結筒２３が排出螺旋軸体１２の軸部１９上端部からハンドル１３の下方側の軸部下端部にわたって嵌合された状態では該排出螺旋軸体１２の軸部１９とハンドル１３の下方側の軸部とが直線状に連結され、連結筒２３が両者の結合部位からハンドル１３側に移動して該結合部位を開放した状態では連結部位における連結ピン２２を支点とする折り畳み（回動）が許容されるものである。
【００２３】
前記外筒体１１に形成された対の流入孔１７、１７、上位のオーバーフロー用流入孔１８及び前記排出管９と外筒体１１との連通箇所にはフィルター部材２５ａ、２５ｂ、２５ｃ、２５ｄが設けられている。また、該外筒体１１の下端開口部付近には前記排出螺旋軸体１２の軸部１９を貫通して下部メッシュフィルター部材２６が設けられている。
【００２４】
前記外筒体１１の下端から突出された排出螺旋軸体１２の軸部１９には、目詰り防止用の回転翼２７が該軸部１９とともに回転し得るように取付けられている。この目詰り防止用の回転翼２７は、前記軸部１９に固定された円板部と該円板部の外周の対向する部位から立ち上げられかつ前記外筒体１１の外周面、すなわち、流入孔１７、１７部位の外側面に所定の間隔をおいて対向された一対の翼片とから構成されている。
【００２５】
前記外筒体１１に連結された排出管９はほぼ水平方向に位置されるとともに前記床３の外側に向けて延在されており、その先端部には液状し尿を排出管９から該床３の外側部位に排出する排出用のフレキシブルホース２８が接続され、ほぼ中央部位には排出される液状し尿を滅菌するための滅菌剤を入れた滅菌剤カセット部材２９が該排出管９内に至るように抜脱可能に装設されている。
【００２６】
前記外筒体１１の下端から突出された排出螺旋軸体１２の軸部１９の下端部には、前記便容器５の底面に沿って水平状に配設された誘導螺旋軸体３０の軸端部が整合位置されており、この排出螺旋軸体１２の軸部１９の下端部と誘導螺旋軸体３０の軸端部とが該ほぼＬ字状に曲折されたコイルバネからなる回転伝達手段３１を介して連結されている。
【００２７】
この誘導螺旋軸体３０は、軸部３２と該軸部３２の外周軸方向に沿って形成された螺旋状羽根３３とから構成されており、その軸部３２の先端側を前記便器４のほぼ下方に延在するように配置されている。しかして、誘導螺旋軸体３０は排出螺旋軸体１２の回転駆動とともに回転伝達手段３１を介してその配置状態にて回転されるものである。なお、誘導螺旋軸体３０の螺旋状羽根３３はその回転動作にしたがって前記排出螺旋軸体１２の下端側方向への移送可能な状態にその螺旋方向が設定されている。
【００２８】
そして、前記誘導螺旋軸体３０の螺旋状羽根３３を下方から受けるようにほぼ半円樋状の誘導案内部材３４が該誘導螺旋軸体３０の全長にわたって配設され、この誘導案内部材３４はその下面が前記便容器５の底面2対し組立て時に両面テープ等の固止手段３５により固止されている。しかして、この誘導案内部材３４は、前記誘導螺旋軸体３０の回転によりその軸先端側から排出螺旋軸体１２の下端側に向う移送誘導経路を形成するように構成されている。
【００２９】
上述のように構成された本例の簡易トイレ１にあっては、脚片２〜２により設置面より所定の高さの床３に対してその下方全体に便容器５を設置するとともに、該床３に便器４を取付け、さらに、床３に対し、上部にハンドル１３を位置させかつ前記便容器５内に臨んだ固液分離手段１０全体を位置して、前記床３に対し枠フレーム６を枠組みし、該枠フレーム６に遮蔽部材７を張設してトイレとしての所望の空間区画部を得るように組立てられる。
【００３０】
この場合においては、固液分離手段１０全体が便容器５内にあって便器４の下方側部位置されるとともに、その外筒体１１の下端部が便容器５の底面より若干上位に位置されるものであり、また、固液分離手段１０における排出管９が便容器５の側壁に向う横（水平）方向に延在されてその端部に連結されたフレキシブルホース２８が該便容器５の外側に延出され、さらに、誘導螺旋軸体３０及び誘導案内部材３４が便容器５の底面において便器４のほぼ下方（排泄物（固形物）が山形に堆積される部位）に延在するように配置されるものである。
【００３１】
上記した状態において、通常の簡易トイレ１としてその使用に供されるものであり、該使用に伴って排泄物が便容器５内に逐次堆積されるとともに、この便容器５内の堆積された排泄物は、下方より上方にわたって固形物が堆積される沈殿層と、し尿等の液体層と、種々の浮遊物が位置される浮上層とに分離された堆積状態となり、前記固液分離手段１０の該外筒部はこの浮上層、液体層、沈殿層に埋没された状態となる。
【００３２】
前記液体層にあるし尿等の液体は、外筒体１１の下方の流入孔17から該外筒体１１内に順次流入され、その水位が排出管９との連通部位に達すると、該排出管９及びフレキシブルホース２８を経て便容器５の外部に排出される。
【００３３】
このとき、便容器５内における液体層の水位が外筒体１１のオーバーフロー用流入孔１８より上位に達している状態では、該液体層のし尿等の液体は外筒体１１におけるオーバーフロー用流入孔１８から該外筒体１１内に順次流入され、前述と同様に排出管９及びフレキシブルホース２８を経て便容器５の外部に排出される。
【００３４】
そして、簡易トイレ１の使用に際してその使用者が床３から膨出しているハンドル１３を一方向（排出螺旋軸体１２の螺旋状羽根２０における上昇方向に移送する回転方向）に回転操作すると、該ハンドル１３に連結された排出螺旋軸体１２が一体的に回転され、この排出螺旋軸体１２とともに螺旋状羽根２０が上昇方向に移送する方向に回転されるので、外筒体１１内の液体は、該螺旋状羽根２０の回転によってその上昇方向への移送が案内されるとともに前記排出管９との連通部位に積極的に流出（排出）されるものである。
【００３５】
この場合、排出螺旋軸体１２とともに目詰り防止用の回転翼２７が外筒体１１の流入孔１７の対向する外側周りに沿って回転されているため、該回転する回転翼２７によって流入孔１７に流入されようとする沈殿層における固形物の流入を阻止することができ、該流入孔１７における目詰りを未然に防止し得るとともに、流入孔１７からの液体の流入を円滑になし得る。これによって、便容器５内のし尿等の液体のみを確実に排出できるものである。
【００３６】
また、外筒体１１において液体が流入する流入孔１７、１７、上位のオーバーフロー用流入孔１８及び前記排出管９と外筒体１１との連通箇所にはフィルター部材２５ａ、２５ｂ、２５ｃ、２５ｄが設けられ、さらに、該外筒体１１の下端開口部付近には下部メッシュフィルター部材２６が設けられているため、外筒体１１内に液体とともに流入される浮遊物や固形物の流入を阻止することにより、外筒体１１内における液体の流れを円滑にするとともに、し尿等の液体のみを外部に排出することができる。
【００３７】
さらに、排出管９から排出される液体を該排出管９に設けた滅菌剤を入れた滅菌剤カセット部材２９を通過させることにより、排出管９及びフレキシブルホース２８を経て便容器５の外部に排出される液体の衛生上の問題を解消することできる。
【００３８】
そして、本実施例にあっては、前記排出螺旋軸体１２の回転とともに、回転伝達手段３１を介してその配置状態にて誘導案内部材３４により受承されながら回転され、その螺旋状羽根３３の回転動作及び誘導案内部材３４によってしたがって前記排出螺旋軸体１２の下端側方向への移送誘導経路を形成されることになり、これによって、便器４のほぼ下方において排泄物（固形物）が山形に堆積される部位を下方から崩して側方に寄せ均すことができる。
【００３９】
すなわち、本実施例においては、ハンドル１３の回転操作により便器４のほぼ下方において山形に堆積される排泄物（固形物）を崩してならす作業と、し尿等の液体のみの排出作業とを同時に簡易に行うことができ、その作業（操作）の嫌悪勘を可及的になくすることができる。
【００４０】
そして、本実施例にあっては、排出螺旋軸体１２の軸部１９とハンドル１３との連結部位を連結ピン２２を介して回転伝達可能に連結及び折り畳み可能に構成することによって外筒体１１とともに排出螺旋軸体１２を床３の下面に沿うほぼ水平状態に折り畳み（回動）できるとともに、ハンドル１３を床３の上面に沿うほぼ水平状態に折り畳み（回動）でき、組立て前における簡易トイレ１全体の梱包、運搬、保管等の取扱いを簡単かつ容易になし得るものである。
【００４１】
なお、本実施例においては、簡易トイレとしての全体の形態は、図示のものに限定するものではない。
【図面の簡単な説明】
【００４２】
【図１】本発明の一実施例の形態を示す一部破断を含む斜視図である。
【図２】枠フレームの遮蔽部材を取り除いた平面図である。
【図３】固液分離手段の取付け状態の概要を示す説明図である。
【図４】同じく、固液分離手段の取付け状態の概要を示す説明図である。
【図５】固液分離手段を示す概略図である。
【図６】誘導螺旋軸体を示す説明図である
【図７】図５のＡ部を示す拡大断面図である。
【図８】図７のＢ部を示す拡大断面図である。
【図９】図５のＣ部を示す拡大断面図である。
【図１０】図９のＤ−Ｄ線断面図である。
【図１１】断面図である。
【符号の説明】
【００４３】
１  簡易トイレ
３  床
４  便器
５  便容器
９  排出管
１０  固液分離手段
１１  外筒体
１２  排出螺旋軸体
１７  流入孔
２０  螺旋状羽根
３０  誘導螺旋軸体
３１  回転伝達手段
３３  螺旋状羽根
３４  誘導案内部材
【図１】
2007098017.tif 000003
【図２】
2007098017.tif 000004
【図３】
2007098017.tif 000005
【図４】
2007098017.tif 000006
【図５】
2007098017.tif 000007
【図６】
2007098017.tif 000008
【図７】
2007098017.tif 000009
【図８】
2007098017.tif 000010
【図９】
2007098017.tif 000011
【図１０】
2007098017.tif 000012
【図１１】
2007098017.tif 000013